(57)【特許請求の範囲】
【請求項１】
絶縁材料製の基台（４）と、導電材製であって電位が印加される少なくも１本ないし数本のレール（２，３）とから成り、このレール（２，３）が基台（４）の面上にのびる形で基台（４）と係合組み立てられている装置であって、少なくも第１のレール（２）にブレード（５）が設けられており、こられのブレード（５）はそれぞれが基台（４）の面に平行に寝かせることまた基台（４）の面に対し或る角度α（αは０ないし１８０°）だけ起き上がらせることが可能であることを特徴とする鳥を追い払うための電気装置。
【請求項２】
前記ブレード（５）が、前記第１のレール（２）の材料に切り込み加工形成されていることを特徴とする請求項１に記載の装置。
【請求項３】
前記電位が、前記ブレード（５）を起き上がらせ、実質的にそれと同時に前記第１のレール（２）に電流を流した時、このブレード（５）の先端部（６）に振動を発生させるのに充分なエネルギーを有するパルスであることを特徴とする請求項２に記載の装置。
【請求項４】
基台（４）及びレール（２，３）の構成材料が可撓性であることを特徴とする請求項１、２及び３のいずれかに記載の装置。
【請求項５】
レール（２，３）が約０．２mm厚の半硬ステンレス鋼材にて形成されていることを特徴とする請求項１、２、３及び４のいずれかに記載の装置。
【請求項６】
パルスが、実質的に４Ｊのエネルギーを放出するよう、実質的に８ｍＡの強度及び１０ｋＶのピーク電圧を有するものであることを特徴とする請求項５に記載の装置。
【請求項７】
平行に配された２本のレール（２，３）から成り、それらに印加される電位が相異なることを特徴とする請求項１、２、３、４、５及び６のいずれかに記載の装置。
【請求項８】
第２のレール（３）にブレードが形成されていること及び装置のブレード（５，５…）が三角形を形成し、従って第１のレール（２）のブレド（５）及び第２のレール（３）のブレード（５）が共に寝かせられた状態における、第１のレール（２）のブレード（５）の先端部（６）と、そのブレード（５）に直近の、第２のレール（３）のブレード（５）の先端部（６）との間の間隔距離が、第１及び第２のレール（２，３）のブレード（５，５）同志が正確に隣り合った場合の、これらブレード（５，５）の先端部（６，６）間の最小隔離距離よりも大であることを特徴とする請求項７に記載の装置。
【発明の詳細な説明】
【０００１】
【発明の属する技術分野】
本発明は鳥を追い払うことを意図した装置、更に詳しくは、或る所定の表面部に鳥がとまることを予防するための電気式の装置に関するものである。
【０００２】
【従来の技術】
鳥たちが、建築物に、支えとなる表面部を見つけると、それがどんなに狭いものであってもそこにとまろうとするものであること、また鳥たちが実にたくさんのわずらわしい或いはうっとうしいことを引き起こすことも人々は知っている。そのようなわずらわしい或いはうっとうしいことを予防する最も有効な方法は、鳥のとまることが望まれない表面部に、或る部分に或る電位を有するような装置を設けることである。鳥たちは、不快な或いは有害でさえある感じが与えられる危険をおかして、そのような電位の与えられた部分に接触してとまることは出来ないので、上記の方法によって追い払いの効果が実現される。
【０００３】
上記のような装置が、例えばＴＡＰＯ−ＥＳ（登録商標）の商品名で市販品となっているが、この製品装置は絶縁材から成る基台と導電材製の２本のレールから成り、レールには相異なる電位が印加され、またそれらは基台に係合組立てられて、基台の面上に延設された構成となっている。
２本のレールの設置間隔は密で、この装置にとまると、鳥はそれをおもいとどまらせる通電を受けるようになっている。
【０００４】
しかし、この装置には次のような問題点がある。
−鳥たちは、例えば巣を作るために、レール上に小枝やらその他の、絶縁マットレスを形成する植物性物質の小片やらを集める。するとそれらは装置の有効性を局部的に消し去ってしまう。
−追い払いの効果があがるためには、鳥が電位のかけられた両方のレールに触れることが必要である限り、鳥のとまることの望まれない表面の全体を装置により被い、被われていない表面部の残らないようにする必要があり、このため装置の設置が高価なものとなっている。
【０００５】
【発明が解決しようとする課題】
従って、本発明の目的は、上述した問題点のない装置を提案することである。
【０００６】
【課題を解決するための手段】
本発明の装置は、絶縁材製の基台又はベース部材と、それに固定される導電材製の少なくも１本のレールとから成り、レールは基台の面に平行な姿勢に寝かすこと、また基台に対しある角度で起き上がらせることの可能なブレードを有するものである。また、レールには電位が印加される。
【０００７】
更に詳しくは、本発明は、鳥たちを追い払うことを意図した電気式の装置であり、この装置は、絶縁材製の基台又はベース部材と、導電材製の１本又は数本のレールとから成り、レールには電位が印加されており、またレールは、基台と係合して、或いは一体的に、組立てられて、基台の表面上に延設された形となっており、またレールの少なくも１本には、それぞれが基台の面と平行な姿勢に寝かすこと、またその面に対し或る角度α（αは０ないし１８０°）だけ起き上がらせることが可能なブレードが設けられた構成となっている。
【０００８】
ブレードはレールに固定して形成することが出来るが、一層好ましくはレールの切り込み加工（プリカット）あるいはプレス加工により形成することが出来る。ブレードを、レール材自体の切り込み加工（プリカット）あるいはプレス加工により形成した場合には、レールに加えられる電位のエネルギー的特性により、鳥たちにより視認される振動がブレードの先端部に発生する。
【０００９】
本発明の或る実施の形態によれば、レール及び基部又はベース部材の構成材料は可撓性を有するものである。
発明の特に好ましい実施の形態によれば、平行設置で２本のレールを設けそれらの間に電位差を与える。この場合、一方のレールの各ブレードが、他方のレールのふたつのブレードの間の部位に隣り合うように構成する。
【００１０】
本発明の目的、構成及びその他の特徴は、添付図面を参照して以下に行う発明の実施の形態の記載から一層明らかとなるであろう。
【００１１】
【発明の実施の形態】
図１は本発明の主題をなす装置中のレールの横断面図を示す。
このレール２，３は導電性材料にて製造されたものである。本発明の実施の或る詳細な形態によれば、この材料は約０．２mm厚の半硬ステンレス鋼材である。その幅は、好ましくは、実質的に１４mmである。
【００１２】
レール２，３は、絶縁材製の基台又はベース部材４により、鳥のとまることが望まれない表面（部）１から（電気的に）絶縁されている。硬度８３を有するＣＰＶ押出し型材（プロフィール）が基台４に特に好適であると判明している。本発明の実施の或る詳細な形態によれば、基台４の高さは実質的に２．４mmでこの小さな高さは表面１において装置を見えにくくするのに効果的である。基台４はシリコーン糊又は接着剤により或いはその他の手段により表面１上に固定される。
【００１３】
レール２，３は基台４の面上に長くのびており、レールの１部を被い、それを把持する基台４の隆起縁部又はフランジ部により基台４と一体状に組立て可能となっている。組立ては、基台４の１端部においてレール２，３に糸通しするように挿入することにより容易に行い得る。この構成は、基台４及びレールを単一の作業で製造することを可能とするので、製造工程上の有利さを示す。基台４及びレール２，３用に可撓性材を選択することにより装置をロール状のパッケージ体とすることが可能となり、設置予定位置までの出荷、次いで設置作業時における所定長さへの切断に便がはかられることとなる。
【００１４】
レール２，３には所定の電源を通じて電位（電圧）が印加される。接地電位にある表面１との電位差が鳥たちにとまることを思いとどまらせる。レール２，３の電源への接続はここに詳説しないが、これは公知の方法により当業者により行い得るものである。
図２は、本発明の主題をなす装置のレールの平面図である。レール２，３にはブレード５が設けられており、各ブレード５は、レールの面、従ってまた基台又はベース部材４の面に平行となるよう寝かせることまたそれらの面から起き上がらせることが可能となっている。
ブレード５を所定の角度だけ起き上がらせた場合、装置を局部的に機能不能としてしまうおそれのある絶縁材料からなるマットレスを鳥たちが形成し得ない電位のかけられた障害物がレールの立ち上がった先端部６により形成されることになる。更にそのような高さ調節の可能なブレード５により、装置は、大きさ及び数の異なる鳥たちにも、また鳥のとまることが望まれない表面上の利用し得る高さ位置にも、そして表面部位の形状に従い巣が作られてしまうおそれにも良く適合したものとなる。ブレード５を導電材からなる有刺材により形成し、それを溶接或いは機械的な取付け法等の当業者に知られた方法によりレール２，３上に固定し、有刺材がレール２，３及びベース部材４の面に平行となるよう寝かせること、また起き上がらせることが出来るように構成することも可能である。全てのブレード５を、上記の面に対し同一の傾斜角αを有するようにすることも、或いはそれぞれ異なった傾斜角αを有するようにすることも出来る。本発明の、特に安価な実施の形態において、ブレード５は、レール２，３の構成材に切り込み加工（プリカット）あるいはプレス加工を行うことにより形成される。この切り込み加工あるいはプレス加工は、レール２，３の延伸製造時に大量生産ポンチ法により行い、ブレードの形成は装置の設置工程で行うことが出来るので有利である。
【００１５】
ブレード５の自由端部である先端部６の形状は、装置の機能に何らの影響もおよぼさない。
本発明の或る実施の形態によれば、ブレード５は実質的に１００mm毎に形成され、また長さが実質的に６０mmに形成される。ブレード５の幅は実質的に４mmであって良い。
【００１６】
図３は、本発明の主題をなす装置が２本のレールを有する実施の形態を示す斜視図である。２本のレール２，３のそれぞれに或いはそれらの一方のみにブレード５を設けることが出来る。ブレード５を設けた場合、各ブレード５は、基台又はベース部材４の面から角度α（αは０ないし１８０°の範囲）で起き上がり姿勢とすることが出来る。この作業は、装置設置の最終工程で、期待する鳥たちへのいやがらせ効果を考慮に入れて行うことが出来る。このため、装置の設置作業者は、表面部１に基台又はベース部材４を固定することから成る設置作業の大部分の間、作業のための動きに支障を受けることが全くないので、有利である。
【００１７】
２本のレール２，３に相異なる電位を印加する。このため生じる電位差は、鳥たちにとまることを思いとどまらせる効果がある。当業者に自明の給電系については説明を省略する。
レール２，３の構成材に切り込み加工（プリカット）あるいはプレス加工を行ってブレード５を形成した場合、特に興味のある効果が得られる。即ち、電源からレールに充分に高いエネルギーの周期パルス（電流）を与えると、実質的に通電と同時に起き上がり姿勢にあるブレード５の先端部６に振動が発生する。この振動の振幅はごくわずかなものであるが、それでも鳥たちが遠方から視認或いは感じとるのに充分に強力なものである。研究の結果によれば、鳥たちは、レール２，３或いは電位のかけられたブレード５に１回触れると、その後は或る距離をおいた位置から電気の周期パルスを検知し、永い間装置に近づくことを思いとどまるようになり、二度と装置に接触しないようになる。この結果、鳥のとまることが望まれない表面部１を本発明による装置により部分的に被覆するのみで良く、従って鳥の追い払いにつき同一の効果を維持しながら、設置の費用を大きく低減することが可能である。
【００１８】
レール２，３用の所定の構成材につき、当業者なら予定の効果をあげるために適したエネルギーを生み出す電力供給を設定することが可能である。
０．２mm厚の半硬質ステンレス鋼材の場合、適当なパルスは、実質的に８ｍＡの強度と１０ｋＶの電圧を有し、約４Ｊのエネルギーを放出するものである。周期は１ないし２ｓであって良い。本発明の主題をなす装置が２本のレール２，３を有し、それぞれのレール２，３がブレード５を形成されたものである場合、それらのブレード５につき或る構成とすることにより装置の最高の効果をあげることが出来る。即ち、基台又はベース部材４内に一方のレール２を滑動させることにより或いはその他の手段により、このレール２のブレード５が確実に、他方のレール３のブレード５，５の間の部位に実質的に隣り合うように構成することが出来る。
【００１９】
換言すれば、ブレード５，５，５……により確実に平面的に三角形配置を形成するように構成出来るのであるが、このことは、２本のレール２，３のブレード５が寝かされた状態において、第１のレール２のブレード５の先端部６と第２のレール３のブレード５の先端部６の間の間隔距離が、２本のレール２，３のブレード５，５が正確に隣り合っている場合、それらのブレード５，５の先端部６，６間の最小隔離距離よりも大となることを意味する。
【００２０】
この構成の場合、本発明の装置を正面視する。即ち、鳥たちがこの装置に近付いて来る方向から装置を見ると、ブレード５が密に林立しているように身受けられる。レールに相異なる電位を切り換え印加することも可能である。
なお、図３においてはレール２，３に形成したブレード５が同方向に傾斜した例を示しているが、例えば一方のレール上のブレード５を前方に向け、他方のレール上のブレード５を後方を向けたり、あるいは一本のレール上に設けたブレードの一部を前方に、他のものを後方に向けたり、更に側面視で２枚のブレード５が山形になるように傾斜させることができる。
【００２１】
レール２，３の巾と厚み、そしてこのレール２，３に一端を固定したブレード５の巾と平面形状は、撃退を目的とする鳥の種類や大きさによって変化させることができる。
前記実施の形態においてはレール２，３とブレード５を同一の板厚にしたものを示しているが、ブレード５の板厚をレール２，３の板厚より薄くして印加する電位によりその先端部６が容易に振動できるように製作することができる。また、ブレード５の根本部あるいは途中の部分を局部的に薄く形成することができる。
【００２２】
一般的には、レール２，３上に等間隔にブレード５を形成し、これらのレール２，３の位置をずらすことによって、ブレードを平面的にジグザグ状に分散配置して、広い面積にわたって鳥を撃退する帯域を形成するとよい。
更に、ブレード５は１枚の板状あるいは薄箔状の舌のように形成しているが、中間部の長手方向にスリットを形成して平行する２枚に形成したり、中間部に丸孔あるいは長方向の窓を開口して軽量化することもできる。
【図面の簡単な説明】
【図１】本発明の主題をなす装置のレールの横断面図である。
【図２】本発明の主題をなす装置のレールの平面図である。
【図３】本発明の主題をなす装置が２本のレールを有する発明の実施の形態を示す斜視図である。
【符号の説明】
１  表面又は表面部          ２，３  レール
４  基台又はベース部材      ５  ブレード      ６  先端部
【図１】
0003731996.tif 000002
【図２】
0003731996.tif 000003
【図３】
0003731996.tif 000004